(57)【要約】【課題】固定受け部材に対するエアフィルタの押付け固定が、構成部材数を可能な限り少なくして実現できるエアフィルタの固定装置を提供する。【解決手段】ボックス本体３の周壁に、メインエアフィルタ７の出し入れ口１２と、この出し入れ口１２を外部から開閉する扉部材１３を設け、ボックス本体３の内部に、出し入れ口１２から挿入したメインエアフィルタ７の一面側を支持する固定受け部材１７と、前記メインエアフィルタ７の他面側に位置する可動当て金具１８を設け、前記可動当て金具１８は、メインエアフィルタ７の面方向に沿って長く、閉位置にある扉部材１３で内側に押し込まれるように配置され、扉部材１３で内側に押し込まれたとき、傾斜長孔１９と固定ピン２０で長さ方向に対して斜め移動することにより、メインエアフィルタ７を前記固定受け部材１７に押圧固定する。【選択図】図１
2012220048.tif 000002
【特許請求の範囲】
【請求項１】
エア通路形成部材の周壁に、エア通路の途中に配置するエアフィルタの出し入れ口と、この出し入れ口を外部から開閉する扉部材を設け、
前記エア通路形成部材の内部に、出し入れ口から挿入したエアフィルタの一面側を支持する固定受け部材と、前記エアフィルタの他面側に可動当て金具が配置され、
前記可動当て金具は、エアフィルタの面方向に沿って長く、その一端側が前記出し入れ口からエア通路形成部材の内外に出没可能となり、閉位置にある扉部材で内側に押し込まれるように配置され、扉部材で内側に押し込まれたとき、長さ方向に対して斜め移動することにより、エアフィルタを前記固定受け部材に押圧固定するようになっているエアフィルタの固定装置。
【請求項２】
上記可動当て金具は、エア通路形成部材に対する重なり片とエアフィルタの押圧片を有する断面形状に形成され、前記重なり片に傾斜長孔が長さ方向に対して傾斜するように設けられ、上記エア通路形成部材側に前記傾斜長孔が嵌る固定ピンを設け、可動当て金具が長さ方向に対して前記傾斜長孔と固定ピンによって斜め移動するようになっており、この可動当て金具にばねで上記出し入れ口からエア通路形成部材の外方に突出する方向の移動弾性を付勢した請求項１に記載のエアフィルタの固定装置。
【請求項３】
エア通路形成部材の周壁に、エア通路の途中に配置するエアフィルタの出し入れ口と、この出し入れ口を外部から開閉する扉部材を設け、
前記エア通路形成部材の内部で上下の位置に、エアフィルタを抜き差しするための抜き差しケースを固定し、
この抜き差しケースにおけるエアの流れ方向に対して、下流側の位置にエアフィルタの固定受け部材と上流側の位置に凸条を設け、この凸条に対して長さ方向と幅方向の移動が可能となる可動当て金具の取付け部を重ねて設け、
上記可動当て金具は、凸条に対する重なり片とエアフィルタの押圧片を有する断面形状に形成され、前記凸条に傾斜長孔が長さ方向に対して傾斜するように設けられ、前記可動当て金具の重なり片に前記傾斜長孔を貫通するピンが設けられ、可動当て金具が長さ方向に対して前記傾斜長孔とピンによって斜め移動するようになっており、この可動当て金具にばねで上記出し入れ口からエア通路形成部材の外方に突出する方向の移動弾性を付勢したエアフィルタの固定装置。
【発明の詳細な説明】
【技術分野】
【０００１】
この発明は、フィルターボックスやダクト等の内部に組み込むエアフィルタの固定装置、更に詳しくは、フィルタ出し入れ口を開閉する扉部材を閉位置にすると、これと連動してエアフィルタを固定化することができるエアフィルタの固定装置に関する。
【背景技術】
【０００２】
例えば、ビルや工場の空調や換気において用いられているエア清浄装置は、フィルタボックスやダクト等の内部エア通路にエアフィルタを組み込み、エアフィルタに対して流動するエアを通過させることにより、エアに含まれている異物をエアフィルタで捕捉し、エアの清浄化を図るようにしている。
【０００３】
上記のようなエア清浄装置において、エアフィルタは異物の捕捉と共に濾過機能が低下するため、定期的に新たなものとの取換えが必要になり、これに対応するため、エアフィルタは、フィルタボックスやダクトに対して固定と取り外しができるように取付けられている。
【０００４】
また、エアフィルタは、エア通路内に組み込んだ状態で、エア通路内の周囲に設けた固定受け部材に一面側を押付けた固定状態とし、エアフィルタと固定受け部材の間に隙間が生じないようにすることで、濾過機能が低下しないようにしなければならない。
【０００５】
従来、フィルタボックスやダクトに対して、エアフィルタを抜き差し自在とすると共に、固定受け部材に一面側を押付けた固定状態とするエアフィルタの固定構造は、フィルタボックスやダクトの周壁に、エアフィルタの出し入れ口と、この出し入れ口を外部から開閉する扉部材を設け、前記フィルタボックスやダクトの内部に、エアフィルタの一面側を支持する固定受け部材と、この固定受け部材とエアフィルタを抜き差しできる間隔を設けた位置に配置され、エアフィルタの挿入方向と平行に移動可能な可動部材と、前記扉部材により前記出し入れ口を閉鎖して可動部材を押し込み移動させることにより、エアフィルタ側に押付けられる押付け部材を設けた構造になっている（例えば、特許文献１参照）。
【先行技術文献】
【特許文献】
【０００６】
【特許文献１】特開２０１１−２００９５号公報
【発明の概要】
【発明が解決しようとする課題】
【０００７】
ところで、上記のように、扉部材により可動部材をエアフィルタの挿入方向と平行に移動させ、更に、可動部材のエアフィルタの挿入方向と平行な移動によって押付け部材がエアフィルタ側へ押付け移動する構造は、長い杆状の可動部材と、二つ折りリンクによって形成された押付け部材が必要になり、構成部材の数が多くなって構造が複雑となるため、製作コストが高くつくという問題がある。
【０００８】
また、二つ折りリンクによって形成された押付け部材の折れ曲がった先でエアフィルタを押圧する構造は、エアフィルタの一部分を線接触で押し込むため、エアフィルタに部分的な力が加わり、エアフィルタのフィルタ枠が紙製などの柔らかい材質であると、経時的にフィルタ枠の一部だけが部分的に変形するので、固定受け部材に対するエアフィルタの押付け力が弱まり、このため、固定受け部材との密着性が低下することで、エアフィルタを用いた濾過装置の濾過機能が低下するという問題がある。
【０００９】
そこで、この発明の課題は、エアフィルタの固定と解除が扉部材の開閉に連動して自動的に行えるだけでなく、固定受け部材に対するエアフィルタの押付け固定が、構成部材数を可能な限り少なくして実現でき、しかも、エアフィルタの幅方向全長を面で均一に押圧することで、固定受け部材との密着性を維持することができるエアフィルタの固定装置を提供することにある。
【課題を解決するための手段】
【００１０】
上記のような課題を解決するため、この発明は、エア通路形成部材の周壁に、前記内部エア通路の途中に配置するエアフィルタの出し入れ口と、この出し入れ口を外部から開閉する扉部材を設け、前記エア通路形成部材の内部に、出し入れ口から挿入したエアフィルタの一面側を支持する固定受け部材と、前記エアフィルタの他面側に可動当て金具が配置され、前記可動当て金具は、エアフィルタの面方向に沿って長く、その一端側が前記出し入れ口からエア通路形成部材の内外に出没可能となり、閉位置にある扉部材で内側に押し込まれるように配置され、扉部材で内側に押し込まれたとき、長さ方向に対して斜め移動することにより、エアフィルタを前記固定受け部材に押圧固定するようにしたものである。
【００１１】
上記可動当て金具は、エア通路形成部材に対する重なり片とエアフィルタの押圧片を有する断面形状に形成され、前記重なり片に傾斜長孔が長さ方向に対して傾斜するように設けられ、上記エア通路形成部材側に前記傾斜長孔が嵌る固定ピンを設け、可動当て金具が長さ方向に対して前記傾斜長孔と固定ピンによって斜め移動するようになっており、この可動当て金具にばねで上記出し入れ口からエア通路形成部材の外方に突出する方向の移動弾性が付勢した構造とすることができる。
【００１２】
また、エア通路形成部材の周壁に、前記内部エア通路の途中に配置するエアフィルタの出し入れ口と、この出し入れ口を外部から開閉する扉部材を設け、前記エア通路形成部材の内部で上下の位置に、エアフィルタを抜き差しするための抜き差しケースを固定し、この抜き差しケースにおけるエアの流れ方向に対して、下流側の位置にエアフィルタの固定受け部材と上流側の位置に凸条を設け、この凸条に対して長さ方向と幅方向の移動が可能となる可動当て金具の取付け部を重ねて設け、上記可動当て金具は、凸条に対する重なり片とエアフィルタの押圧片を有する断面形状に形成され、前記凸条に傾斜長孔が長さ方向に対して傾斜するように設けられ、前記可動当て金具の重なり片に前記傾斜長孔を貫通するピンが設けられ、可動当て金具が長さ方向に対して前記傾斜長孔とピンによって斜め移動するようになっており、この可動当て金具にばねで上記出し入れ口からエア通路形成部材の外方に突出する方向の移動弾性を付勢した構造とすることができる。
【００１３】
ここで、上記エアフィルタは、前後面が開口するフィルタ枠の内部に、プリーツ状に折り曲げ加工されたろ材を組み込み、フィルタ枠の一面側にパッキンを設けた構造を有し、上記フィルタボックスやダクトは、その内部がエア通路となり、周壁がこのエアフィルタが納まる角筒形に形成され、前記周壁の一方側面に設けた出し入れ口は、前記エアフィルタが出し入れできる大きさに形成されている。
【００１４】
上記した扉部材は、フィルタボックスやダクトの周壁における外面に蝶番で取り付けられ、この蝶番を支点に回動することで出し入れ口を開閉し、出し入れ口を閉じることで上記可動当て金具を長さ方向に押し込み、可動当て金具は斜め移動によりエアフィルタに向けて接近動してこれを長さ方向の全長で押圧し、固定受け部材とでエアフィルタを挟んで固定することになる。
【発明の効果】
【００１５】
この発明によると、扉部材の開閉に連動してエアフィルタの固定と解除が自動的に行え、エアフィルタの取換え作業の省力化と能率向上が図れるだけでなく、可動当て金具で直接エアフィルタを押圧固定するので、構成部材は可動当て金具と固定ピンだけでよく、部材数の削減により構造の簡素化が図れ、製作コストの低減が可能になる。
【００１６】
また、可動当て金具は、長さ方向に対して斜め移動することにより、その全長でエアフィルタを面で均一に押圧することができ、面による押圧によってエアフィルタに部分的な変形を生じさせることがなく、固定受け部材との圧接面における全面の密着性を維持することで、経時的に濾過機能が低下するのを防ぐことができる。
【図面の簡単な説明】
【００１７】
【図１】この発明に係る第１の実施の形態のエアフィルタの固定装置を示す扉部材を開いたメインエアフィルタ挿入前の状態の横断平面図
【図２】第１の実施の形態のエアフィルタの固定装置を示す扉部材を一部切り欠いたメインエアフィルタ挿入前の状態の正面図
【図３】第１の実施の形態の固定装置の要部とメインエアフィルタを示す分解斜視図
【図４】第１の実施の形態の固定装置における可動当て金具の取り付け部分の構造を示す拡大した縦断正面図
【図５】第１の実施の形態の固定装置における可動当て金具と扉部材の関係を示すメインエアフィルタ挿入前の横断平面図
【図６】第１の実施の形態のエアフィルタの固定装置を示す扉部材を閉じたメインエアフィルタ挿入状態の横断平面図
【図７】第１の実施の形態のエアフィルタの固定装置を示す扉部材を一部切り欠いたメインエアフィルタ挿入状態の正面図
【図８】第１の実施の形態のエアフィルタの固定装置を示す一部切り欠いたメインエアフィルタ挿入状態の縦断側面図
【図９】この発明に係る第２の実施の形態のエアフィルタの固定装置を示す扉部材を開いたメインエアフィルタ挿入状態の正面図
【図１０】第２の実施の形態の固定装置の要部とメインエアフィルタを示す分解斜視図
【図１１】第２の実施の形態のエアフィルタの固定装置を示す扉部材を開いたメインエアフィルタ挿入前の状態を示す要部の拡大縦断正面図
【図１２】同上の平面図
【図１３】第２の実施の形態のエアフィルタの固定装置を示す扉部材を閉じたメインエアフィルタ挿入時の状態を示す要部の拡大縦断正面図
【図１４】同上の平面図
【発明を実施するための形態】
【００１８】
以下、この発明の実施の形態を図示例と共に説明する。
【００１９】
図１乃至図８は、エア濾過装置１とその内部に組み込み使用する、この発明に係るエアフィルタの固定装置２の第１の実施の形態を示している。
【００２０】
エア濾過装置１のエア通路形成部材であるボックス本体３は、内部中空の箱形に形成され、図１の右側にエアの流入筒４と、左側にエアの流出筒５が内部と連通するように設けられ、前記流入筒４と流出筒５にはそれぞれエア供給側と流出側の蛇腹状のホースが接続される。
【００２１】
上記ボックス本体３の内部が、流入筒４から流出筒５に向けてエアが流れるエア通路６となり、このエア通路６内で流入筒４と流出筒５間の位置にエアフィルタ（以下メインエアフィルタという）７と、その上流側にプレフィルタ８が所定の間隔を設けて組み込まれている。
【００２２】
上記メインエアフィルタ７は、図３や図７のように、前後面が開口するフィルタ枠９の内部に、プリーツ状に折り曲げ加工されたろ材１０を組み、フィルタ枠９の下流側となる一面側の周囲にパッキン１１を設けた構造を有し、また、プレフィルタ８は、メインエアフィルタ７の上流側で大きな異物を捕捉する周知の構造を有している。
【００２３】
なお、上記パッキン１１は、フィルタ枠９の下流側に取付けるのが一般的であるが、これとは別に固定受け部材１７の上流側に取付ける場合もある。
【００２４】
上記ボックス本体３の周壁はこのメインエアフィルタ７及びプレフィルタ８が丁度納まる角筒形になり、メインエアフィルタ７とプレフィルタ８の組み込により、内部のエア通路５は上流側と下流側に仕切られることになる。
【００２５】
ボックス本体３の周壁における一方側面に、メインエアフィルタ７とプレフィルタ８を出し入れすることができる大きさの出し入れ口１２が設けられ、前記周壁における一方側面の外側に、出し入れ口１２を開閉するための扉部材１３が取り付けられている。
【００２６】
この扉部材１３は、出し入れ口１２を閉鎖することができる大きさを有し、一方端部の上下位置をボックス本体３に蝶番１４で取付け、蝶番１４を支点にして水平に回動することにより出し入れ口１２を開閉することができ、他端側に設けたリブボルトやクレセント１５又は他の周知固定手段を操作することにより、出し入れ口１２を閉じた状態を固定化できるようになっており、その内面には断熱材１６が貼設され、出し入れ口１２を閉じたとき、この出し入れ口１２の周縁面に断熱材１６が圧接することで、出し入れ口１２を密閉することができるようになっている。
【００２７】
上記ボックス本体３の内部は、出し入れ口１２からメインエアフィルタ７を挿入する部分の上下間隔が、メインエアフィルタ７の上下寸法が丁度納まるように設定されていると共に、このメインエアフィルタ７を挿入する部分を挟んで下流側の位置に、メインエアフィルタ７の一面側を支持する固定受け部材１７と、同じく上流側の位置に、メインエアフィルタ７を前記固定受け部材１７に押圧固定するための固定装置２が設けられている。
【００２８】
上記固定受け部材１７は、ボックス本体３の周壁の内周に沿って、メインエアフィルタ７におけるフィルタ枠９の一面側周囲に配置するパッキン１１受けることができる枠状に形成されている。
【００２９】
また、上記固定装置２は、ボックス本体３の周壁における上面と下面に設けられ、固定受け部材１７との間にメインエアフィルタ７の抜き差しできる間隔を形成するように配置され、メインエアフィルタ７の抜き差し方向に沿って平行する配置になっている。
【００３０】
この固定装置２は、メインエアフィルタ７の抜き差し方向に沿う長い可動当て金具１８を用い、この可動当て金具１８は、後端側が前記出し入れ口１２からボックス本体３の内外に出没可能となり、閉位置にある扉部材１３で内側に押し込まれるようになっている。ここで、可動当て金具１８は、出し入れ口１２側の端部を後端、それと反対側の端部を先端という。
【００３１】
上記可動当て金具１８は、図３乃至図５のように、ボックス本体３の周壁に対する水平の長い重なり片１８ａと、この重なり片１８ａの下流側縁から直角に屈曲する押圧片１８ｂを備えた断面Ｌ形の杆状に形成され、前記ボックス本体３の幅方向に納まる程度の長さを有している。
【００３２】
上記可動当て金具１８は、重なり片１８ａの複数箇所に傾斜長孔１９が設けられ、この傾斜長孔１９は図１の横断平面図において、出し入れ口１２の側から見て左上がりの傾斜になり、前記傾斜長孔１９を貫通する固定ピン２０が前記ボックス本体３の側に固定され、可動当て金具１８を長さ方向に押し込むと、傾斜長孔１９の長さの範囲だけ移動可能となり、傾斜長孔１９と固定ピン２０の作用で斜め移動することになる。
【００３３】
上記可動当て金具１８をボックス本体３内にむけて押し込むと、固定受け部材１７の側に接近する斜め移動をすることになり、メインエアフィルタ７を押圧片１８ｂで押圧することで固定し、また、可動当て金具１８をボックス本体３の出し入れ口１２側に移動させると固定受け部材１７から離反する斜め移動をし、メインエアフィルタ７の固定を解除するようになっている。
【００３４】
上記可動当て金具１８は、メインエアフィルタ７の抜き差し方向に沿う幅寸法に見合う長さを有するので、メインエアフィルタ７を押圧固定したとき、押圧片１８ｂはメインエアフィルタ７の抜き差し方向に沿う幅寸法の全長を、垂直の面で均等に押圧することになり、このような押圧はメインエアフィルタ７のフィルタ枠９に部分的な変形を発生させることがなく、固定受け部材１７に対してパッキン１１を密着させることで濾過機能の低下発生を防ぐことができる。
【００３５】
上記可動当て金具１８は、先端にこの可動当て金具１８と一体に移動するように抱持して突出するように設けたコイル状のばね２１がボックス本体３の内面に当接し、この可動当て金具１８に常時出し入れ口１２からボックス本体３の外部に突出する方向の弾性が付勢されている。
【００３６】
この可動当て金具１８は、図５のように、扉部材１３を開くとその押し込みが解かれ、ばね２１によって出し入れ口１２側に押し戻された可動当て金具１８は、傾斜長孔１９の先端側が固定ピン２０に当接して停止し、可動当て金具１８の後端が出し入れ口１２から外部に所定長さ突出した位相となり、この状態で、固定受け部材１７と押圧片１８ｂの間隔がメインエアフィルタ７の厚みよりも広くなっている。
【００３７】
また、扉部材１３を閉じて可動当て金具１８を押し込むと、図６のように、可動当て金具１８は先端側に移動するとき固定ピン２０に沿って傾斜長孔１９により傾斜移動することで、メインエアフィルタ７に向けて接近し、押圧片１８ｂがメインエアフィルタ７の上下においてフィルタ枠９を固定受け部材１７に向けて面で押圧し、固定受け部材１７とでメインエアフィルタ７を挟み込んで固定する。
【００３８】
なお、上記した扉部材１３の内面には、上下の可動当て金具１８と対応する位置に、可動当て金具１８の押し込み金具２２が固定してある。
【００３９】
次に、図９乃至図１４は、この発明に係るエアフィルタの固定装置の第２の実施の形態を示している。なお、第１の実施の形態と同一部分には同一符号を付すことにより説明に代える。
【００４０】
図９と図１０のように、ボックス本体３の内部で、出し入れ口１２からメインエアフィルタ７を挿入する部分の上下位置に、メインエアフィルタ７を横差しするための抜き差しケース２３が固定され、この抜き差しケース２３におけるエアの流れ方向に対して、下流側の位置にメインエアフィルタ７の固定受け部材１７と上流側の位置に固定装置２が、前記メインエアフィルタ７の挿入できる間隔を形成した状態で設けられている。
【００４１】
上記抜き差しケース２３は、上下に対称状の配置となる同一構造を有し、ボックス本体３のメインエアフィルタ７を抜き差しする方向の幅の全長にわたる長さになっており、この抜き差しケース２３に設けた固定受け部材１７は、抜き差しケース２３を形成する金属板の端部をボックス本体３の内側へ向けて直角に折り曲げることにより形成され、また、上下の抜き差しケース２３間における固定受け部材１７の上下端部間の位置に、金属板を用いた上下方向の固定受け部材が設けられ、パッキン１１の四周面を受けることができるようになっている。
【００４２】
第２の実施の形態の固定装置２は、図１１乃至図１４のように、抜き差しケース２３における上流側の端部位置に、メインエアフィルタ７の面方向に沿って長い断面コ字形の凸条２４をボックス本体３の内側に向けて突出するように、抜き差しケース２３を形成する金属板から一体に折り曲げることにより設け、この凸条２４に断面コ字形の可動当て金具１８を被せ、前記凸条２４のボックス本体３の内側に向く平坦面２４ａで長さ方向の複数箇所に、長さ方向に対して傾斜する傾斜長孔１９を上記第１の実施形態と同様に設け、前記可動当て金具１８に下面側へ突出するよう固定したピン２０ａを傾斜長孔１９に嵌め合わせ、前記凸条２４の内部空間に突出するピン２０ａにばね２５を取付けた構造になっている。
【００４３】
上記可動当て金具１８は、メインエアフィルタ７の抜き差し方向に沿う幅と同程度の長さを有し、上記凸条２４よりも少し広幅の断面形状となって長さ方向と幅方向に移動できる余裕をもって外嵌する断面コ字形となり、メインエアフィルタ７に向く垂直の長い板となる面が押圧片１８ｂになっている。
【００４４】
上記ばね２５は、一本の線材を用い、コイル巻き部分２５ａの両端延長部２５ｂを外開きの状態にした形状となり、コイル巻き部分２５ａをピン２０ａに固定すると共に、両端延長部２５ｂを凸条２４の下流側に位置する側面に当接させ、ピン２０ａを介して可動当て金具１８をエア流れの上流側（図１１の右側）に向けて幅方向に押圧している。
【００４５】
従って、ばね２５により弾性が付勢されたピン２０ａは傾斜長孔１９の後端に戻る弾性が付勢され、このピン２０ａが固定された可動当て金具１８は、図１２のように、扉部材１３を開くとその押し込みが解かれ、ばね２５によって出し入れ口１２側に斜め移動して図１１の断面図のように押し戻され、傾斜長孔１９の後端側にピン２０ａが当接して停止し、可動当て金具１８の後端が出し入れ口１２から外部に所定長さ突出した位相となり、この状態で、固定受け部材１７と押圧片１８ｂの間隔がメインエアフィルタ７の厚みよりも広くなっている。
【００４６】
また、図１４のように、扉部材１３を閉じると、可動当て金具１８は傾斜長孔１９とピン２０ａの作用でボックス本体３内に向けて斜め移動しながら押し込まれ、図１３の断面図のように固定受け部材１７の側に接近し、メインエアフィルタ７を押圧片１８ｂで押圧することで固定するようになっている。
【００４７】
なお、エア濾過装置１として、何れの実施の形態においてもエア通路形成部材としてフィルタボックスを示したが、固定装置２の組み込みは、内部をエアが流れるダクトであってもよい。
【００４８】
この発明のエアフィルタの固定装置は、上記のような構成であり、次に第１の実施の形態を主体に用いてその作用を説明する。
【００４９】
図６と図７のように、ボックス本体３内にメインエアフィルタ７を挿入して扉部材１３を閉じた状態に保持すると、扉部材１３でばね２１が圧縮するように押し込まれた可動当て金具１８が、固定ピン２０と傾斜長孔１９の作用で斜め移動してメインエアフィルタ７に接近し、押圧片１８ｂがメインエアフィルタ７の上下においてフィルタ枠９を押圧し、固定受け部材１７とでメインエアフィルタ７を挟み込んで固定している。
【００５０】
この状態で、流入筒４から流入したエアは、エア通路６内を流出筒５向けて流れるとき、メインエアフィルタ７のろ材１０を通過することで濾過され、清浄になったエアが流出筒５から流出し、このとき、メインエアフィルタ７の一面側周囲に設けたパッキン１１が固定受け部材１７に押付けられて圧着しているので、メインエアフィルタ７の周囲からエアが漏れるようなことがなく、エアの濾過が確実に行える。
【００５１】
次に、メインエアフィルタ７を取り換える場合は、図１のように扉部材１３を開けばよく、扉部材１３を開くと押し込みが解かれた可動当て金具１８はばね２１で押し戻され、後端側に移動してメインエアフィルタ７から斜め移動して離反し、その押圧を解くことでメインエアフィルタ７を出し入れ口１２から取出すことができる。
【００５２】
また、新たなメインエアフィルタ７を固定受け部材１７と可動当て金具１８の間に出し入れ口１２から挿入すると、図７のように扉部材１３を閉じるようにすればよく、可動当て金具１８は扉部材１３で押し込まれることにより、メインエアフィルタ７に接近する斜め移動することでメインエアフィルタ７を押圧して固定化する。
【００５３】
なお、第２の実施の形態の固定装置２においても、扉部材１３の開閉によって可動当て金具１８は、傾斜長孔１９とピン２０ａの作用で斜め移動することになり、扉部材１３を閉めることによって図１４に示すメインエアフィルタ７の押圧固定状態と、扉部材１３を開けることによって図１２に示すメインエアフィルタ７の押圧解除状態が得られることになる。
【００５４】
上記ように、第１及び第２の実施の形態の固定装置２においては、ボックス本体３に対するメインエアフィルタ７の取り換えが、扉部材１３による出し入れ口１２の開閉と出し入れ口１２からのメインエアフィルタ７の抜き差しだけで行え、扉部材１３を閉じると自動的にメインエアフィルタ７を固定化できるので、取替え作業の能率向上と省力化が図れる。
【００５５】
また、メインエアフィルタ７の押圧固定が、可動当て金具１８と固定ピン２０又はピン２０ａ及びばね２１又は２５を用いた構造になっているので、構造の簡素化と構成部材数の削減により、製作コストを低減できるという利点がある。
【符号の説明】
【００５６】
１          エア濾過装置
２          固定装置
３          ボックス本体
４          流入筒
５          流出筒
６          エア通路
７          メインエアフィルタ
８          プレフィルタ
９          フィルタ枠
１０        ろ材
１１        パッキン
１２        出し入れ口
１３        扉部材
１４        蝶番
１５        クレセント
１６        断熱材
１７        固定受け部材
１８        可動当て金具
１８ａ      重なり片
１８ｂ      押圧片
１９        傾斜長孔
２０        固定ピン
２０ａ      ピン
２１        ばね
２２        押し込み金具
２３        抜き差しケース
２４        凸条
２５        ばね
【図１】
2012220048.tif 000003
【図２】
2012220048.tif 000004
【図３】
2012220048.tif 000005
【図４】
2012220048.tif 000006
【図５】
2012220048.tif 000007
【図６】
2012220048.tif 000008
【図７】
2012220048.tif 000009
【図８】
2012220048.tif 000010
【図９】
2012220048.tif 000011
【図１０】
2012220048.tif 000012
【図１１】
2012220048.tif 000013
【図１２】
2012220048.tif 000014
【図１３】
2012220048.tif 000015
【図１４】
2012220048.tif 000016